(57)【要約】      （修正有）【課題】基台の周囲に複数の差込孔を有し、特定の挿入孔に差込部材を差し込んだとき、基台の上部に取り付けた飛出し部材を上方に発射するゲーム装置であって、特定の差込孔の決定変更に際し、確実に１個の差込孔を特定しつつ、特定の差込孔を変更可能とするゲーム装置を提供する。【解決手段】基台部１２０の内部に解除装置を備えた円筒状の外筒体２１０を有し、外筒体２１０はその中心軸を中心に回転可能に基台部１２０の内部に取り付けられ、外筒体２１０の上端を回転可能に支持する保護筒１３５を有し、保護筒１３５の下端に等間隔の切欠き部１４３を有すると共に、外筒体２１０の上端板２１１上面に突起体を有するゲーム装置とする。【選択図】図２
2020074884.tif 000002
【特許請求の範囲】
【請求項１】
基台部に複数の差込孔を有し、何れか１つの特定の差込孔に差込部材を差し込んだとき、前記基台部に取り付けた飛出し部材を発射するゲーム装置であって、前記飛出し部材を前記基台部に取り付けて回転させることにより、前記複数の差込孔の内の前記特定の差込孔を変更可能とするゲーム装置において、
前記基台部の内部に解除装置を備えた円筒状の外筒体を有し、前記外筒体の内部に前記飛出し部材を発射する支柱体を備え、前記外筒体はその中心軸を中心に回転可能に前記基台部の内部に取り付けられ、前記外筒体の上端を回転可能に支持する保護筒を前記基台部の内部に有し、前記保護筒の下端に等間隔の切欠き部を有すると共に、前記外筒体の上端板上面の前記保護筒と接する箇所に突起体を有することを特徴とするゲーム装置。
【請求項２】
前記外筒体は、前記支柱体を押し上げる押出しバネにより前記支柱体と共に上方に付勢され、前記上端板を前記保護筒の下端に圧接させていることを特徴とする請求項１に記載したゲーム装置。
【請求項３】
前記保護筒の下端に設けられる前記切欠き部は、前記差込孔の個数と同数とされ、前記突起体を前記切欠き部に位置させたとき、前記解除装置の接触板を前記差込孔の内側に位置させることを特徴とする請求項１又は請求項２に記載したゲーム装置。
【請求項４】
前記基台部は、前記支柱体の上下移動に合わせて作動する可動体を有することを特徴とする請求項１乃至請求項３の何れかに記載したゲーム装置。
【請求項５】
前記可動体は、前記基台部から突出する棒状体とされ、前記棒状体の内側端部近傍で外側端部近傍を上下移動可能に前記基台部に取り付けられ、前記支柱体は前記外筒体の外周に位置させる制御環を備え、前記飛出し部材を前記基台部にセットして前記支柱体を降下させたとき、前記制御環により前記棒状体の前記内側端部を押し下げることを特徴とする請求項４に記載したゲーム装置。
【発明の詳細な説明】
【技術分野】
【０００１】
本発明は、基台の周囲に設けた複数の差込孔の内、特定の差込孔に差込部材を差し込んだとき、基台の上部に取り付けた飛出し部材を上方に飛び上がらせるゲーム装置である。
【背景技術】
【０００２】
今日、円筒状の基台における周囲側壁に複数の差込孔を有し、この差込孔に差込部材を挿入可能とするゲーム装置がある。このゲーム装置は、基台の周囲側壁に複数の差込孔を有するものであり、何れか特定の１個の差込孔に差込部材を挿入したとき、基台の上端等基台上部に取り付けた人形等の部材が上方に飛び出す様に発射されるものである（例えば特許文献１）。
【０００３】
この様なゲーム装置では、人形等の部材を発射する複数の差込孔の内の特定の差込孔の位置をゲーム毎に変更可能としている。従って、ゲームを行うに際して、人形等の基台上部に取り付けた部材が発射される特定の差込孔が、ゲームを繰り返して行う遊戯者にわからないようにすることができるものである。
【０００４】
そして、多くの場合、基台に取り付ける人形等の部材を基台に取り付け、この取り付けられた部材を基台に対して捻じるように水平方向に回転させることにより、取り付けた部材を発射する特定の差込孔を複数の差込孔から選択し、特定の差込孔の位置を変更できるようにしている。
【先行技術文献】
【特許文献】
【０００５】
【特許文献１】特開２００９−２９７４５２号公報
【発明の概要】
【発明が解決しようとする課題】
【０００６】
前述の様に、基台に取り付けた部材を捻じって特定の差込孔を変更するに際し、取り付けた部材の回転量によっては、特定の差込孔が特定されず、基台に設けた複数の差込孔の全てに差込部材を挿入しても、基台上部に取り付けた部材が基台から飛び上がらないことが生じることがあった。
【０００７】
又、差込部材を特定の差込孔に挿入したときに基台上部に取り付けた部材が基台から飛び上がるだけでは、ゲームの変化性が乏しく、何度かゲームを行うと飽きてくることもあった。
【０００８】
本発明は、この様な欠点を排し、特定の差込孔の決定変更に際し、確実に１個の差込孔を特定しつつ、特定の差込孔を変更可能とするものである。
【課題を解決するための手段】
【０００９】
本発明に係るゲーム装置は、基台部に複数の差込孔を有し、何れか１つの特定の差込孔に差込部材を差し込んだとき、前記基台部に取り付けた飛出し部材を発射するゲーム装置であって、前記飛出し部材を前記基台部に取り付けて回転させることにより、前記複数の差込孔の内の前記特定の差込孔を変更可能とするゲーム装置において、前記基台部の内部に解除装置を備えた円筒状の外筒体を有し、前記外筒体の内部に前記飛出し部材を発射する支柱体を備え、前記外筒体はその中心軸を中心に回転可能に前記基台部の内部に取り付けられ、前記外筒体の上端を回転可能に支持する保護筒を前記基台部の内部に有し、前記保護筒の下端に等間隔の切欠き部を有すると共に、前記外筒体の上端板上面の前記保護筒と接する箇所に突起体を有するゲーム装置とするものである。
【００１０】
また、このゲーム装置において、前記外筒体は、前記支柱体を押し上げる押出しバネにより前記支柱体と共に上方に付勢され、前記上端板を前記保護筒の下端に圧接させているゲーム装置とすることがある。
【００１１】
そして、前記保護筒の下端に設けられる前記切欠き部は、前記差込孔の個数と同数とされ、前記突起体を前記切欠き部に位置させたとき、前記解除装置の接触板を前記差込孔の内側に位置させるゲーム装置とすることがある。
【００１２】
また、前記基台部は、前記支柱体の上下移動に合わせて作動する可動体を有するゲーム装置とすることがある。
【００１３】
そして、前記可動体は、前記基台部から突出する棒状体とされ、前記棒状体の内側端部近傍で外側端部近傍を上下移動可能に前記基台部に取り付けられ、前記支柱体は前記外筒体の外周に位置させる制御環を備え、前記飛出し部材を前記基台部にセットして前記支柱体を降下させたとき、前記制御環により前記棒状体の前記内側端部を押し下げるゲーム装置とすることがある。
【発明の効果】
【００１４】
本発明に係るゲーム装置は、解除装置を備えた外筒体の上端を回転可能に支持する保護筒の下端に等間隔に切欠き部を設け、外筒体上端の上端板の上面に突起体を設けるものである。従って、飛出し部材を回転させるとき、突起体が切欠き部に嵌る間隔を感じさせることができ、解除装置を停止させる位置を決定することを容易とすることができる。
【００１５】
また、外筒体を押出しバネにより上方に付勢し、上端板を保護筒に圧接させることにより、突起体が切欠き部に嵌る感覚を確実に生じさせることができる。
【００１６】
そして、切欠き部の個数を差込孔の個数と同数とし、突起体が切欠き部に位置するときに解除装置の接触板を差込孔の内側に位置させるものとすれば、常に接触板を差込孔の内側に位置させるように外筒体の回転位置を決定することが極めて容易に可能となる。
【００１７】
また、飛出し部材を発射する支柱体の上下移動に合わせて作動する可動体を設ければ、飛出し部材を発射するとき、可動体も作動させてゲーム装置の外観的変化を大きくし、一層の楽しみを遊戯者に与えることができる。
【００１８】
そして、可動体を棒状体として内側端部近傍で作動可能に基台部に取り付け、可動体の内側端部を支柱体に設ける制御環で上から押えるようにすれば、単純な構造で大きく作動する可動体とすることができる。
【図面の簡単な説明】
【００１９】
【図１】本発明に係るゲーム装置の実施の形態における一例を示す外観斜視図。
【図２】本発明に係るゲーム装置の実施の形態における一例の側面断面図。
【図３】本発明に係るゲーム装置の実施の形態における一例の分解斜視図。
【図４】本発明に係るゲーム装置の実施の形態における一例の要部を示す斜視図。
【図５】本発明に係るゲーム装置の実施の形態における一例の飛出し部材を放出した状態の側面断面図。
【図６】本発明に係るゲーム装置の実施の形態における飛出し部材の一例を示す下方斜視図。
【図７】本発明に係るゲーム装置の実施の形態における一例の解除装置の解除状態を示す平面図。
【発明を実施するための形態】
【００２０】
本発明に係るゲーム装置の実施の形態は、図１に示す様に、基台部１２０における下方部分である基部１５１の周壁に複数の差込孔１６７を有するものである。また、この基部１５１の上端部１５３の上方に上部基台１２１を有し、この上部基台１２１の上端に飛出し部材１１０を取り付け可能とするものである。
【００２１】
そして、差込孔１６７に差込部材１９０を挿入し、特定の差込孔１６７に差込部材１９０を差し込んだとき、基台部１２０から飛出し部材１１０が発射されるように上方に飛び出すゲーム装置１００である。
【００２２】
この差込部材１９０は、平板状の把持部１９５を有して指先で摘むことができるようにされている。そして、把持部１９５から突出する平板状の挿入部１９１を有し、この挿入部１９１は、差込孔１６７の幅よりも僅かに薄い厚さとされ、上下方向幅を差込孔１６７の上下方向長さよりも僅かに狭くされている。また、挿入部１９１の中央付近には弾性部１９９が形成され、挿入部１９１が差込孔１６７に挿入された状態で、容易に差込部材１９０が差込孔１６７から抜け落ちないようにしているものである。
【００２３】
更に、この差込部材１９０は、挿入基部１９７において挿入部１９１の厚みを厚く、又は、上下方向長さを長くし、挿入基部１９７の所定位置で挿入部１９１がそれ以上差込孔１６７に押し込まれないようにしている。従って、差込部材１９０の先端１９３を、差込孔１６７へ所定量だけ挿入することが容易に可能とされるものである。
【００２４】
また、この基台部１２０の基部１５１は、略円錐台形状とされ、上方の直径よりも下方の直径を大きくしている。従って、ゲーム装置１００を安定的にテーブル等に載置可能とされるものである。そして、基部１５１の外壁部１５５の上半分を上部外壁１６１とし、この上部外壁１６１に等間隔に複数の差込孔１６７を有する。また、基部１５１の外壁部１５５の下半分を下部外壁１６３とし、この下部外壁１６３にも上部外壁１６１に設けた差込孔１６７と同数の差込孔１６７を等間隔に有する。尚、上部外壁１６１に設ける差込孔１６７と下部外壁１６３に設ける差込孔１６７とは、基部１５１の外壁部１５５の周囲で交互に配置されるようにしている。
【００２５】
更に、基台部１２０は、略円錐台形状の基部１５１の上方に上部基台１２１を有する。上部基台１２１は円筒状の中間部１２３の上方に球形状の基台上端部１２５を有する。そして、基台上端部１２５の頂点に開口１２７を有し、中間部１２３から左右に突出する可動体１４１を有するものである。
【００２６】
そして、この上部基台１２１の開口１２７に飛出し部材１１０を取り付けることを可能としている。この飛出し部材１１０は、図２に示す様に、円柱状の挿入本体部１１３の上方に球形状の頭部１１１を有し、人形等を模した形状とされるものである。そして、挿入本体部１１３が上部基台１２１の保護筒１３５に挿入されて基台部１２０の上部基台１２１に取り付けられるものである。
【００２７】
この上部基台１２１は、図３に示す様に、前方カバー１３１と後方カバー１３３とを合わせて球形状の基台上端部１２５と円筒状の中間部１２３を形成している。そして、基台上端部１２５の頂点に飛出し部材１１０の挿入本体部１１３を差し込み可能とする開口１２７を形成しているものである。更に、開口１２７の周縁から下方に垂下する円筒状の保護筒１３５を収納するものである。
【００２８】
また、中間部１２３からは左右に突出する可動体１４１を有している（図２参照）。この可動体１４１は、可動体１４１の内側端部１４７を接触部とし、内側端部１４７の近くに支持部１４３を有して前方カバー１３１及び後方カバー１３３へ取り付けられ、支持部１４３よりも外側を装飾部として中間部１２３から突出させている棒状体である。
【００２９】
そして、装飾部の端部である外側端部１４５は支持部１４３を中心として上下に揺動可能とされ、飛出し部材１１０がセットされた状態のとき、接触部である内側端部１４７の上方を制御環３０１に接触させて外側端部１４５を支持部１４３よりも上方に位置させるものである。
【００３０】
また、図２に示したように、保護筒１３５の下方には外筒体２１０を有し、外筒体２１０の内部には支柱体２８０を有するものである。そして、外筒体２１０の上端板２１１を保護筒１３５の下端に接触させている。
【００３１】
この外筒体２１０は、図４に示す様に、円筒状の筒体であって、下端が下端部材２４１により底板１７１の中央で支持される。また、上端板２１１の上面に形成した係合環２１３を保護筒１３５の下端外周に接触させている。この様に、外筒体２１０は、下端部材２４１及び保護筒１３５によって上端及び下端がゲーム装置１００の中央に支持固定されるものである。
【００３２】
そして、この外筒体２１０は、基台部１２０や底板１７１に対して底板１７１と平行な平面方向に回転可能に支持されるものである。また、この外筒体２１０は、上部リブ２２１を上部基台１２１における中間部１２３の下端近傍に有する。更に、上部リブ２２１の上方には外筒体２１０の軸方向に沿って所定長さとされた摺動溝２２３を有する。この摺動溝２２３は、外筒体２１０の内側から外側に貫通するものである。
【００３３】
また、外筒体２１０の略中央高さ位置に外筒体２１０の内側から外側に貫通するストッパー穴２２５を有する。そして、このストッパー穴２２５と約９０度ずれた位置でストッパー穴２２５よりも上方に上支持板２３１を、ストッパー穴２２５よりも下方に下支持板２３３を突出させている。
【００３４】
この上支持板２３１及び下支持板２３３は、水平方向に平板状とされて外筒体２１０の外周面から突出し、解除装置２５０の支持棒２５１を回動自在に支持するものである。
【００３５】
この解除装置２５０は、外筒体２１０の中心軸と平行な中心軸を有する支持棒２５１の上端及び下端が上支持板２３１と下支持板２３３とに支持されるものである。そして、この支持棒２５１へ円弧状の接触部支持アーム２６１により接触板２６５が取り付けられ、係止部支持アーム２５３により係止体２５５が取り付けられる。この接触板２６５は、外筒体２１０の中心軸を中心として係止体２５５と対称の位置に配置されるものである。
【００３６】
また、この係止体２５５は、係止部支持アーム２５３の先端から内側に突出する板状体である。そして、内側とした先端部２５６の上面を傾斜面２５７として先端部２５６の上面を外端部２５８等の上面よりも下方に位置させるように傾斜させている（図５、図７参照）。また、この先端部２５６を外筒体２１０の内部に位置させるように、係止体２５５はストッパー穴２２５を貫通可能とされるものである。
【００３７】
そして、この係止体２５５は、通常は弾性体２７１により先端部２５６を外筒体２１０の内部に位置させている。そして、接触板２６５が差込孔１６７から挿入される差込部材１９０の先端に接触して接触板２６５が外筒体２１０側に押し込まれるように接近したとき、図７に示す様に、係止体２５５の先端部２５６は外筒体２１０の外部に位置するように係止体２５５がストッパー穴２２５から抜き出されるものである。
【００３８】
また、接触板２６５は、基台部１２０の上部外壁１６１に設けた差込孔１６７よりも上方から下部外壁１６３に設けた差込孔１６７の下方までの長さとされるように上下方向に延びる板状体である。そして、中間から上方で上部外壁１６１の内側とされる上部接触部２６６と中間から下方で下部外壁１６３の内側とされる下部接触部２６７とが形成されている。そして、上部接触部２６６よりも下部接触部２６７を僅かに外方に位置させることにより、上部接触部２６６と上部外壁１６１に設けた差込孔１６７との距離と、下部接触部２６７と下部外壁１６３に設けた差込孔１６７との距離と、が等しくなるようにされている。
【００３９】
そして、外筒体２１０の下端は、下端部材２４１を介して底板１７１に取り付けられるものである。この下端部材２４１は、外筒体２１０の下端を収納する周壁部２４３と底板１７１の上面に載置される円板状の底部２４７を有する。更に、この底部２４７の中央には係合穴２４９を有し、この係合穴２４９に底板１７１の保持突起１７３を挿入し、且つ、周壁部２４３の下端及び底部２４７を底板１７１の保持環１７５の内側に位置させている。従って、下端部材２４１ひいては外筒体２１０の下端が底板１７１の中心位置からずれることなく底板１７１の上で回転可能に底板１７１に配置される。
【００４０】
また、この下端部材２４１の内部には支柱体２８０を上方に付勢する押出しバネ３１１が収納される。そして、周壁部２４３において上下方向に設けた係止溝２４５に、外筒体２１０の下端に設けた係止突起２３５の先端が係止される。このため、下端部材２４１が外筒体２１０から外れないように、且つ、下端部材２４１が外筒体２１０の下端で僅かに外筒体２１０の軸方向に移動することを可能としているものである。
【００４１】
そして、この外筒体２１０の上端板２１１の上面に設けた係合環２１３の内側には、上端板２１１の上面から僅かに突出する突起体２１５を設けている。また突起体２１５よりも内側の上端板２１１の中心部は、載置板２８３及び係合凹部２８５を収納可能な凹部収納部２１７として窪ませている。更に、保護筒１３５の下端には、等間隔に差込孔１６７と同数の切欠き部１４３を設けている。
【００４２】
また、支柱体２８０は、外筒体２１０に収納される長尺の棒状体であって、支柱本体２８１の上端に飛出し部材１１０を載置する載置部とする載置板２８３を有する。更に、外筒体２１０の外周に配置する制御環３０１を取り付ける固定環３０５や係止体２５５の先端部２５６と接触可能とされる下部摺動部２９５等を有する。
【００４３】
そして載置部は、円形平板状の載置板２８３の中央に後述する飛出し部材１１０の下端面に設けられた突出部１１５が挿入される係合凹部２８５を有する。この係合凹部２８５は、図６に示す様に、四角柱形状とされた突出部１１５が挿入可能とされる八角形星形等の窪み（図４参照）とされ、飛出し部材１１０を捻じるように回転させたとき、飛出し部材１１０と一体的に支柱体２８０も回転するようにしているものである。
【００４４】
そして、支柱本体２８１の上端近くには上部摺動部２９１を有する。この上部摺動部２９１は、外筒体２１０の内周に外周縁を摺接させて支柱本体２８１が外筒体２１０の中心軸からずれないように外筒体２１０の内部で上下移動可能とするものである。同様の摺動部として、支柱本体２８１の中間部に中間摺動部２９３を、支柱本体２８１の下端近くに下部摺動部２９５を有する。更に支柱体２８０は、支柱本体２８１の下端に下端板２９７を有して押出しバネ３１１の上端を押し下げるようにしている。
【００４５】
また、上部摺動部２９１の下方には、固定環３０５を有し、外筒体２１０の外周に配置する制御環３０１の接続部３０３が挿入される固定孔３０７を有している。この接続部３０３は外筒体２１０の摺動溝２２３を貫通して制御環３０１を固定環３０５に取り付け、制御環３０１を支柱本体２８１へ一体的に固定するものである。
【００４６】
そして、この支柱体２８０は、図２に示したように、載置部とする載置板２８３を上端板２１１の凹部収納部２１７に位置させたとき、接続部３０３を摺動溝２２３の下端近傍に位置させるものである。このとき、制御環３０１は可動体１４１の内側端部１４７を押し下げて装飾部を上方に位置させる。また、このとき、下部摺動部２９５は解除装置２５０の係止体２５５の下面に上面を接触可能とする高さとされるものである。
【００４７】
従って、飛出し部材１１０の挿入本体部１１３を開口１２７から挿入して載置板２８３ひいては支柱体２８０を押し下げるように飛出し部材１１０を押し込むと、下部摺動部２９５が係止体２５５よりも下方まで押し下げられる。そして、下部摺動部２９５が係止体２５５の先端部２５６で係止される。このとき、押出しバネ３１１は強く圧縮され、下部摺動部２９５ひいては支柱体２８０の上昇が阻止される。このため、押出しバネ３１１の圧縮状態が維持されることになる。
【００４８】
この状態で、何れかの差込孔１６７に挿入された差込部材１９０の先端が接触板２６５に接触して接触板２６５が外筒体２１０の方向に押圧されると、係止体２５５がストッパー穴２２５から抜き出される。このため、係止体２５５の先端部２５６と下部摺動部２９５との係合が外れ、押出しバネ３１１の弾性力により支柱体２８０が上方に押し出される。
【００４９】
そして、図５に示したように、接続部３０３が摺動溝２２３の上端に達した位置で支柱体２８０の上昇は停止し、載置部を保護筒１３５の内部で停止させ、載置板２８３に載置した飛出し部材１１０を開口１２７から放出するように飛び出させる。このとき、上部摺動部２９１も上端板２１１の下面に接触し、支柱体２８０の上昇を阻止している。そして、制御環３０１も支柱体２８０の上昇により上昇し、可動部材の内側端部１４７は解放されて上昇し、装飾部とした外側端部１４５を自重で降下させるように可動部材を作動させ、装飾部を基部１５１の上端部１５３に載せるようにする。
【００５０】
また、飛出し部材１１０の挿入本体部１１３を開口１２７から挿入し、突出部１１５を係合凹部２８５に挿入して飛出し部材１１０を捻じるように回転させると、支柱体２８０が回転し、摺動溝２２３に挿入された接続部３０３の回転により外筒体２１０が回転する。従って、解除装置２５０の接触板２６５を基部１５１の内側で回転移動させることができる。
【００５１】
このとき、制御環３０１の接続部３０３が摺動溝２２３の上端に接触し、上部摺動部２９１も上端板２１１の下面に接触しており、支柱体２８０が押出しバネ３１１により押し上げられているため、外筒体２１０は接続部３０３や上部摺動部２９１により持ち上げられて上端板２１１の上面を保護筒１３５の下端に圧接させている。
【００５２】
また、飛出し部材１１０の挿入本体部１１３を基台部１２０の上端に設けた開口１２７から挿入して強く押し下げ、下部摺動部２９５を係止体２５５の先端部２５６の傾斜面２５７に接触させ、傾斜面２５７により係止体２５５を後退させて下部摺動部２９５を係止体２５５よりも下方に移動させた後、飛出し部材１１０への押圧力を緩めると押出しバネ３１１により支柱体２８０が押し上げられる。このとき、下部摺動部２９５を係止する係止体２５５により、支柱体２８０の載置板２８３を上端板２１１の凹部収納部２１７に位置させて外筒体２１０も押し上げられ、上端板２１１の上面を保護筒１３５の下端に圧接させることになる。
【００５３】
この保護筒１３５の下端には等間隔に切欠き部１４３が設けられ、上端板２１１の係合環２１３の内側上面には突起体２１５を設けているため、突起体２１５が切欠き部１４３に位置する毎に飛出し部材１１０を回転させる際の抵抗感が変化する。この抵抗感の変化であるノッチ効果によって、支柱体２８０や外筒体２１０の回転位置が円周を等分した所定回転量だけ回転したことを指先で感じることができる。
【００５４】
また、差込孔１６７の数と同数とされた各切欠き部１４３に突起体２１５が位置したとき、解除装置２５０の接触板２６５が各差込孔１６７の内側に位置するようにしている。このため、飛出し部材１１０を回転させ、外筒体２１０に設けた解除装置２５０を回転移動させて飛出し部材１１０を飛び出させる特定の差込孔１６７の位置を変更するに際し、解除装置２５０の接触板２６５を常に何れかの差込孔１６７の内側の位置に停止させることができる。
【００５５】
従って、全ての差込孔１６７に差込部材１９０を差し込んでも飛出し部材１１０は発射されないという誤動作を確実に防止することができる。
【００５６】
また、飛出し部材１１０を基台部１２０の上方に発射したとき、制御環３０１の上昇により可動体１４１の外側端部１４５が降下し、飛出し部材１１０を発射するのみでなく、基台部１２０における可動体１４１の動作によって基台部１２０の変化を大きくして飽きにくい楽しみを遊戯者に対して与えることができる。
【００５７】
この可動体１４１は、内側端部１４７の近くを支持部１４３とし、支持部１４３よりも外側端部１４５側を装飾部として基台部１２０の上部基台１２１における中間部１２３から外方に突出させる棒状体である。そして、この棒状体の内側端部１４７を上方から制御環３０１により押し下げているものである。
【００５８】
このため、支柱体２８０と一体とした制御環３０１が支柱体２８０の上昇により上昇すると、接触部とした内側端部１４７への制御環３０１からの押圧力が開放されることになる。従って、内側端部１４７の近傍で揺動可能に支持された可動体１４１は、装飾部とする外側端部１４５側の自重により外側端部１４５を降下させるように作動する。
【００５９】
また、この可動体１４１は、内側端部１４７の近傍を支持部１４３として作動するため、装飾部とした外側端部１４５側の動作として作動幅を大きくすることができる。
【００６０】
そして、制御環３０１による上方からの押圧力が開放されたときに自重で作動する装飾部を有する可動体１４１は、構造を単純として容易に基台部１２０に組み込むことができるものである。
【産業上の利用可能性】
【００６１】
本発明の実施の形態としたゲーム装置１００は、飛出し部材１１０を発射させる特定の差込孔１６７を変更した場合でも、常に何れか１つの差込孔１６７を特定の差込孔１６７とし、全ての差込孔１６７に差込部材１９０を差し込んでも飛出し部材１１０が発射されないという事態が生じることを確実に防止して、常に楽しくゲームを行うことができるゲーム装置１００である。
【００６２】
また、基台部１２０から飛出し部材１１０を発射させる際、基台部１２０に設ける可動体１４１も作動させることにより基台部１２０を大きく変化させることができ、より一層楽しく遊ぶことができるゲーム装置１００である。
【符号の説明】
【００６３】
１００  ゲーム装置              １１０  飛出し部材
１１１  頭部                    １１３  挿入本体部
１１５  突出部                  １２０  基台部
１２１  上部基台                １２３  中間部
１２５  基台上端部              １２７  開口
１３１  前方カバー              １３３  後方カバー
１３５  保護筒                  １４３  切欠き部
１４１  可動体                  １４３  支持部
１４５  外側端部（装飾部）      １４７  内側端部（接触部）
１５１  基部
１５３  上端部                  １５５  外壁部
１６１  上部外壁                １６３  下部外壁
１６７  差込孔                  １７１  底板
１７３  保持突起                １７５  保持環
１９０  差込部材
１９１  挿入部                  １９３  先端
１９５  把持部                  １９７  挿入基部
１９９  弾性部
２１０  外筒体
２１１  上端板                  ２１３  係合環
２１５  突起体                  ２１７  凹部収納部
２２１  上部リブ                ２２３  摺動溝
２２５  ストッパー穴            ２３１  上支持板
２３３  下支持板                ２３５  係止突起
２４１  下端部材                ２４３  周壁部
２４５  係止溝                  ２４７  底部
２４９  係合穴
２５０  解除装置
２５１  支持棒                  ２５３  係止部支持アーム
２５５  係止体                  ２５６  先端部
２５７  傾斜面                  ２５８  外端部
２６１  接触部支持アーム        ２６５  接触板
２６６  上部接触部              ２６７  下部接触部
２７１  弾性体
２８０  支柱体
２８１  支柱本体                ２８３  載置板（載置部）
２８５  係合凹部                ２９１  上部摺動部
２９３  中間摺動部              ２９５  下部摺動部（係合部）
２９７  下端板                  ３０１  制御環
３０３  接続部                  ３０５  固定環
３０７  固定孔                  ３１１  押出しバネ
【図１】
2020074884.tif 000003
【図２】
2020074884.tif 000004
【図３】
2020074884.tif 000005
【図４】
2020074884.tif 000006
【図５】
2020074884.tif 000007
【図６】
2020074884.tif 000008
【図７】
2020074884.tif 000009